(57)【要約】【課題】  専用のカラーボタンを設けずに既存のキーをカラーボタンとして機能させることができる携帯型視聴装置を提供する。【解決手段】  ＣＰＵは、データ放送のコンテンツ文書内に例えば「赤ボタンが押されたら・・・する」といった記述（プログラム）が存在するかどうかを判断し、存在すると判断したときには、領域（Ｃ）に左から赤ボタン、緑ボタン、青ボタン、黄色ボタンをソフトキーとして表示する。操作部１２の最上段に機能キー１２ｂが四つ設けられており、これら機能キー１２ｂの配置に対応した配置で前記ソフトキーが表示される。そして、例えば、最も左の機能キー１２ｂが押下されたことをＣＰＵが検出すると、ＣＰＵは赤ボタンが押下されたと見做して後の処理を行う。【選択図】        図３
2006310992.tif 000002
【特許請求の範囲】
【請求項１】
ディジタル放送を受信してデータ放送画像表示が行える携帯型視聴装置において、データ放送のコンテンツ文書内にカラーボタンを用いた入力を受け付ける記述が存在するかどうか又はその可能性があるかどうかを判断する手段と、前記記述が存在すると判断した場合に、複数の所定キーの配置に対応した配置でディスプレイ内に複数のボタンを互いに異なる色で表示する手段と、前記所定キーの操作がどの色のボタンの押下に相当するのかを判断する手段と、を備えたことを特徴とする携帯型視聴装置。
【請求項２】
ディジタル放送を受信してデータ放送画像表示が行える携帯型視聴装置において、データ放送のコンテンツ文書内にカラーボタンを用いた入力を受け付ける記述が存在するかどうか又はその可能性があるかどうかを判断する手段と、互いに異なる色の発光素子によって照明される複数の所定キーと、前記記述が存在すると判断した場合に前記発光素子を発光させる手段と、前記所定キーの操作がどの色のボタンの押下に相当するのかを判断する手段と、を備えたことを特徴とする携帯型視聴装置。
【発明の詳細な説明】
【技術分野】
【０００１】
この発明は、地上ディジタル放送の視聴が可能な携帯電話などの携帯型視聴装置に関する。
【背景技術】
【０００２】
近年においては、携帯電話などの携帯機器にテレビ放送の視聴機能を備えたものが提案されている（特許文献１参照）。更に、携帯型視聴装置用に地上ディジタル放送（１セグメント放送）が予定されている。
【特許文献１】特開２００３−１０１９２１号公報
【発明の開示】
【発明が解決しようとする課題】
【０００３】
ところで、据え置き型のディジタル放送受信装置では、そのリモートコントローラに赤ボタンや緑ボタンなどのカラーボタンが配置されており、データ放送画面上での例えば「ＹＥＳのときには赤ボタンを押してください」といった問いかけに対して、前記リモートコントローラの赤ボタン等を押下することができるようになっている。しかしながら、携帯型視聴装置では、キーの配置スペースに限りがあるため、前記カラーボタンを配置することは困難である。また、たとえカラーボタンを配置することができたとしても、キーの増加によって使いづらいものになるそれもある。
【０００４】
この発明は、上記の事情に鑑み、専用のカラーボタンを設けずに既存のキーをカラーボタンとして機能させることができるようにすることを目的とする。
【課題を解決するための手段】
【０００５】
この発明の携帯型視聴装置は、上記の課題を解決するために、ディジタル放送を受信してデータ放送画像表示が行える携帯型視聴装置において、データ放送のコンテンツ文書内にカラーボタンを用いた入力を受け付ける記述が存在するかどうか又はその可能性があるかどうかを判断する手段と、前記記述が存在すると判断した場合に、複数の所定キーの配置に対応した配置でディスプレイ内に複数のボタンを互いに異なる色で表示する手段と、前記所定キーの操作がどの色のボタンの押下に相当するのかを判断する手段と、を備えたことを特徴とする。
【０００６】
また、この発明の携帯型視聴装置は、ディジタル放送を受信してデータ放送画像表示が行える携帯型視聴装置において、データ放送のコンテンツ文書内にカラーボタンを用いた入力を受け付ける記述が存在するかどうか又はその可能性があるかどうかを判断する手段と、互いに異なる色の発光素子によって照明される複数の所定キーと、前記記述が存在すると判断した場合に前記発光素子を発光させる手段と、前記所定キーの操作がどの色のボタンの押下に相当するのかを判断する手段と、を備えたことを特徴とする。
【０００７】
これら構成の携帯型視聴装置であれば、データ放送のコンテンツ文書内にカラーボタンを用いた入力を受け付ける記述が存在する場合又はその可能性が有る場合に、既存の所定キーをカラーボタンとして機能させることができる。
【発明の効果】
【０００８】
以上説明したように、この発明によれば、データ放送のコンテンツ文書内にカラーボタンを用いた入力を受け付ける記述が存在する場合又はその可能性が有る場合に、既存の所定キーをカラーボタンとして機能させることができる。従って、専用のカラーボタンを設ける必要がなくなるとともに、操作性も向上するという効果を奏する。
【発明を実施するための最良の形態】
【０００９】
以下、この発明の実施形態の携帯型視聴装置を図１乃至図３に基づいて説明する。
【００１０】
図１は携帯型視聴装置としてのＴＶ付き携帯電話１００を示したブロック図である。このＴＶ付き携帯電話１００は地上ディジタル放送受信部を備える。この放送受信部において、地上アンテナ１は受信した信号を地上波ディジタルチューナ２に与える。地上波ディジタルチューナ２は、映像及び音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリーム（ＴＳ）を出力する。地上波ディジタルチューナ２は、ＩＩＣバスなどを介してＣＰＵ１３によって制御される。
【００１１】
デマルチプレクサ（ＤＥＭＵＸ）３は、トランスポート・ストリーム（ＴＳ）を、ＩＥＥＥのＨ．２６４などのビデオフレーム、オーディオフレーム、及びセクションに分離する。セクションには、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）、及びデータ放送データなどが含まれている。ビデオフレーム及びオーディオフレームはＡＶデコーダ４に供給され、セクションはセクション処理部５に供給される。セクション処理部５は、セクションのなかに含まれているＰＳＩ／ＳＩに基づいてＥＰＧ（電子番組ガイド）データを作成したり、データ放送データの取得やバッファリング等を行う。
【００１２】
ＡＶデコーダ４は、ビデオフレームに対してデコードを行うビデオデコーダ、及びオーディオフレームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路６に出力され、音声データは音声処理回路７に出力される。
【００１３】
映像処理回路６はＡＶデコーダ４から映像データを受け取り、例えば、ＲＧＢデータを生成する。ＲＧＢデータは表示部（例えば、液晶表示パネル）８に与えられて映像表示がなされる。音声処理回路７はＡＶデコーダ４から出力された音声データを受け取ってＤ／Ａ変換を行い、例えば右（Ｒ）音のアナログ信号及び左（Ｌ）音のアナログ信号を生成する。これら音声信号はスピーカ９に供給される。
【００１４】
操作部１２は、ＴＶ付き携帯電話１００における数字キー、十字キー（方向キー）１２ａ、各種機能キーから成る（図２参照）。電話機能部１１は、携帯電話のための通信制御及び通話処理を行う。
【００１５】
ＣＰＵ１３は、ＴＶ付き携帯電話１００における全体制御を行うとともに、ＢＭＬブラウザ及びオンスクリーンディスプレイとしても機能する。ＢＭＬブラウザは、受信した放送波にデータ放送が含まれているときにその表示のために自動的に起動される。受信した放送波にデータ放送が含まれているときには、例えば、図２に示すように、表示部８にはＴＶ画面（Ａ）及びデータ放送画面（Ｂ）が形成される。なお、表示部８中の最下領域にはソフトキー等の表示のための領域（Ｃ）が形成されようにしている。また、操作部１２におけるＴＶキー１２ｂの操作をＣＰＵ１３が検出すると、テレビ機能が起動される。
【００１６】
また、ＢＭＬブラウザは表示すべき文書（データ）をセクション処理部５中の図示しないコンテンツバッファに要求する。このコンテンツバッファは、要求されたデータが存在すればそのデータを読み出してＢＭＬブラウザに渡す。要求されたデータが無ければセクション処理部５中のデータカルーセル受信処理部がトランスポートストリームから取り出す。
【００１７】
また、オンスクリーンディスプレイとして機能するＣＰＵ１３は、前記ＡＶデコーダから出力されるＴＶ映像と、ＢＭＬブラウザとして作成したデータ画面映像と、オンスクリーンディスプレイ機能による文字や画像（ソフトキー等）の画像データによる映像とを適宜配置した映像を生成し、この映像を映像処理部６に与える。
【００１８】
なお、ＢＭＬ文書中において、データカルーセル方式で伝送される各々のモジュールは、一意に識別するために、次の名前空間が用いられる。
【００１９】
arib-dc://<original ＿network ＿id>.<transport＿stream＿ id>.<service ＿ id>[;content ＿ id>][.<event ＿ id>]/<component＿ tag>/<moduleName>[/<resourceName>] 
【００２０】
前記original＿network ＿idは、ネットワークに固有の識別子であり、地上、ＢＳ、ＣＳを識別する。transport ＿stream＿ id は、ＴＳに対し割り当てられる。地上ディジタル放送では、network ＿id値と同一値で運用される。service ＿ id は、ネットワーク内で個々のサービスを識別するための識別子である。component ＿ tagは、天気予報、ニュースなどのコンテンツの基点であり、このタグ以降にデータが格納されている。moduleName以下に、コンテンツを構成する部品、配列、画像データなどが格納される。
【００２１】
ＣＰＵ１３は、ＢＭＬブラウザとして機能するとき、フォーカス（制御対象）をＴＶからデータ放送に切り替える。更に、ＣＰＵ１３は、ＢＭＬブラウザとして機能するとき、カラーボタンを用いてのキー入力を受け付ける記述（プログラム）がコンテンツ文書内に存在するかどうかを判断する。
【００２２】
ここで、据え置き型のディジタル放送受信装置であれば、そのリモートコントローラに赤ボタンや緑ボタンなどのカラーボタンが配置されている。データ放送画面上での例えば「ＹＥＳのときには赤ボタンを押してください」といった問いかけに対して、ユーザーが前記リモートコントローラの赤ボタンを押下すると、ブラウザとして機能するＣＰＵは、赤ボタンが押されたことを検出して、コンテンツ文書に従った処理を実行することになる。
【００２３】
本願の携帯型視聴装置においては、ＣＰＵ１３は、前記コンテンツ文書内に例えば「赤ボタンが押されたら・・・する」といったプログラム（例えば、ｉｆ文）が存在するかどうかを判断し（例えば、前記プログラムに相当する文字列の存在を判断する）、存在すると判断したときには、所定キーをカラーボタンとして機能させる。具体的には、ＯＳＤ機能を用い、図３に示すように、領域（Ｃ）にその左から青ボタン、赤ボタン、緑ボタン、黄ボタンをソフトキーとして表示する。最上段に機能キー１２ｂが四つ設けられており、これら機能キー１２ｂの配置に対応した配置で前記ソフトキーが表示される。そして、例えば、左から２番目の機能キー１２ｂが押下されたことをＣＰＵ１３が検出すると、ＣＰＵ１３は赤ボタンが押下されたと見做して、前記コンテンツ文書内の「赤ボタンが押されたら・・・する」といったプログラムに従った処理を実行することになる。
【００２４】
上記の例では、領域（Ｃ）での表示と４つの機能キー１２ｂとによるソフトキーによって所定キーをカラーボタンとして機能させることとしたが、前記機能キー１２ｂの裏面側に発光ダイオード（ＬＥＤ）やエレクトロルミネッセンス（ＥＬ）等の発光素子を設けておく。例えば、最も左側の機能キー１２ｂの裏面側には青色光を出射するＬＥＤ等を設け、左から２番目の機能キー１２ｂの裏面側には赤色光を出射するＬＥＤ等を設け、左から３番目の機能キー１２ｂの裏面側には緑色光を出射するＬＥＤ等を設け、左から４番目の機能キー１２ｂの裏面側には黄色光を出射するＬＥＤ等を設ける。ＣＰＵ１３は、例えば前記コンテンツ文書内に「赤ボタンが押されたら・・・する」といったプログラム（例えば、ｉｆ文）が存在するかどうかを判断し、存在すると判断したときには、前記４つの機能キー１２ｂのＬＥＤ等を発光させる（通電する）。そして、例えば、左から２番目の機能キー１２ｂが押下されたことをＣＰＵ１３が検出すると、ＣＰＵ１３は赤ボタンが押下されたと見做して、前記コンテンツ文書内の「赤ボタンが押されたら・・・する」といったプログラムに従った処理を実行することになる。
【００２５】
なお、データ放送のコンテンツ文書内にカラーボタンを用いた入力を受け付ける記述が存在するかどうかの可能性の判断は、コンテンツ文書内に特定のコマンド文が存在するかどうかに基づいて行うこともできるし、コマンド以外の表示のための文書として、例えば、「青ボタンを押」「赤ボタンを押」「緑ボタンを押」「黄色ボタンを押」、などのキーワードが存在するかどうかに基づいても行うことができる。
【図面の簡単な説明】
【００２６】
【図１】この発明の実施形態のＴＶ付き携帯電話を示したブロック図である。
【図２】この発明の実施形態のＴＶ付き携帯電話の外観（表示部や操作部の配置等）を示した説明図である。
【図３】この発明の実施形態のＴＶ付き携帯電話の外観及び既存キーがカラーボタンとなる例を示した説明図である。
【符号の説明】
【００２７】
２    ディジタルチューナ
４    ＡＶデコーダ
８    表示部
１２  操作部
１３  ＣＰＵ
【図１】
2006310992.tif 000003
【図２】
2006310992.tif 000004
【図３】
2006310992.tif 000005